(57)【特許請求の範囲】
【請求項１】
少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記複数の基地局から前記短周期拡散符号のみで拡散した同期信号を断続的に送信するＣＤＭＡ移動通信システムにおける同期信号を送信する方法であって、
前記複数の基地局から基地局毎に一定時間ずつずらした送信タイミングで前記同期信号を送信することを特徴とする同期信号を送信する方法。
【請求項２】
少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記複数の基地局から前記短周期拡散符号のみで拡散した同期信号を断続的に送信するＣＤＭＡ移動通信システムにおける同期信号を送信する方法であって、
前記複数の基地局から同一セル内の複数のセクタ毎に一定時間ずつずらした送信タイミングで前記同期信号を送信することを特徴とする同期信号を送信する方法。
【請求項３】
少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる予め複数のグループに分類された長周期拡散符号とを用いて情報シンボルを２重に拡散し、前記複数の基地局から前記短周期拡散符号のみで拡散した同期信号を断続的に送信するＣＤＭＡ移動通信システムにおける同期信号を送信する方法であって、
前記複数の基地局から同一のグループに属する前記長周期拡散符号を使用する基地局毎に一定時間ずつずらした送信タイミングで前記同期信号を送信することを特徴とする同期信号を送信する方法。
【請求項４】
少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記複数の基地局から前記短周期拡散符号のみで拡散した同期信号を断続的に送信するＣＤＭＡ移動通信システムであって、
前記複数の基地局から基地局毎に一定時間ずつずらした送信タイミングで前記同期信号を送信することを特徴とするＣＤＭＡ移動通信システム。
【請求項５】
少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記複数の基地局から前記短周期拡散符号のみで拡散した同期信号を断続的に送信するＣＤＭＡ移動通信システムであって、
前記複数の基地局から同一セル内の複数のセクタ毎に一定時間ずつずらした送信タイミングで前記同期信号を送信することを特徴とするＣＤＭＡ移動通信システム。
【請求項６】
少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる予め複数のグループに分類された長周期拡散符号とを用いて情報シンボルを２重に拡散し、前記複数の基地局から前記短周期拡散符号のみで拡散した同期信号を断続的に送信するＣＤＭＡ移動通信システムであって、
前記複数の基地局から同一のグループに属する前記長周期拡散符号を使用する基地局毎に一定時間ずつずらした送信タイミングで前記同期信号を送信することを特徴とするＣＤＭＡ移動通信システム。
【請求項７】
繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記短周期拡散符号のみで拡散した同期信号を断続的に送信するＣＤＭＡ移動通信システムの基地局であって、
基地局毎に一定時間ずつずらした送信タイミングで前記同期信号を送信することを特徴とする基地局。
【請求項８】
繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記短周期拡散符号のみで拡散した同期信号を断続的に送信するＣＤＭＡ移動通信システムの基地局であって、
同一セル内の複数のセクタ毎に一定時間ずつずらした送信タイミングで前記同期信号を送信することを特徴とする基地局。
【請求項９】
繰り返し周期が情報シンボル周期と等しく各基地局が共通に用いる短周期拡散符号と繰り返し周期が情報シンボルよりも長く基地局毎に異なる予め複数のグループに分類された長周期拡散符号とを用いて情報シンボルを２重に拡散し、前記複数の基地局から前記短周期拡散符号のみで拡散した同期信号を断続的に送信するＣＤＭＡ移動通信システムの基地局であって、
同一のグループに属する前記長周期拡散符号を使用する基地局毎に一定時間ずつずらした送信タイミングで前記同期信号を送信することを特徴とする基地局。
【請求項１０】
基地局が送信した、繰り返し周期が情報シンボル周期と等しく各基地局が共通に用いる短周期拡散符号と、繰り返し周期が情報シンボルよりも長く基地局毎に異なる長周期拡散符号とを用いて２重に拡散された情報シンボル、および前記短周期拡散符号のみで拡散した同期信号を受信するＣＤＭＡ移動通信システムにおける移動局であって、
既に同期状態にある同期信号の受信タイミングから一定時間ずらしたタイミングに的を絞って他の同期信号を探索する手段と、
前記他の同期信号を捕捉する手段と
を備えることを特徴とする移動局。
【発明の詳細な説明】
【０００１】
【発明の属する技術分野】
本発明は、ＣＤＭＡ（Ｃｏｄｅ  Ｄｉｖｉｓｉｏｎ  Ｍｕｌｔｉｐｌｅ  Ａｃｃｅｓｓ）移動通信システムにおける同期信号を送信する方法、ＣＤＭＡ移動通信システムおよび基地局に関する。
【０００２】
【従来の技術】
現在普及している携帯電話のような移動通信システムでは、サービスエリア全体をセルと呼ばれる比較的小さな無線ゾーンに分割してサービスを行っている。このようなシステムは図１に示すように、分割された無線ゾーンをカバーする複数の基地局１０と、これら基地局との間に無線チャネルを設定して通信を行う移動局２０により構成されている。
【０００３】
基地局１０からある送信電力で送信された電波は減衰しながら空間を伝搬し受信点に到達する。電波が受ける減衰量は、送信点と受信点の距離が遠くなるほど大きくなるという性質があるため、基本的に遠い基地局１０から送信されるとまり木チャネルは弱い受信レベルで、近い基地局１０から送信されるとまり木チャネルは強いレベルで受信される。現実には、伝搬損失の大小は距離だけではなく、地形や建造物などの状況により異なってくるため、移動局２０の移動に伴って各基地局１０からのとまり木チャネルの受信電力は大きく変動する。各基地局１０からのとまり木チャネルの受信レベルが常に変動する状況にあっては、所要の受信レベル以上となるとまり木は常に入れ替わっており、それまで受信していたとまり木の受信レベルが急に低くなり受信不能となったり、逆にそれまで受信不能だったとまり木の受信レベルが急に高くなり受信可能となったりする。基地局１０から送信される信号をより良い品質で受信するためには、移動局２０は各基地局１０からのとまり木チャネルを常に監視し、最良の基地局１０を選択することが重要となる。
【０００４】
直接拡散符号分割多元接続（Ｄｉｒｅｃｔ  Ｓｅｑｕｅｎｃｅ  Ｃｏｄｅ  Ｄｉｖｉｓｉｏｎ  Ｍｕｌｔｉｐｌｅ  Ａｃｃｅｓｓ；  ＤＳ−ＣＤＭＡ）方式は、従来の情報データ変調信号を高速レートの拡散符号にて拡散する２次変調を行って情報伝送することで、複数のユーザが同一の無線周波数帯を用いて通信を行う方式である。各ユーザの通信波は各ユーザ毎に割り当てられた拡散符号により識別される。
【０００５】
ＤＳ−ＣＤＭＡ移動通信システムにおいて、拡散に用いられる拡散符号は、繰り返し周期が情報シンボル周期と同一で全基地局に共通な短周期拡散符号と、繰り返し周期が情報シンボル周期よりも長く基地局毎に異なるものが使用される長周期拡散符号との２種類の拡散符号の組合せにより構成されている。
【０００６】
図２は、ＤＳ−ＣＤＭＡ移動通信システムにおける拡散符号の使用方法を説明するための概念図である。
【０００７】
図２において、上段のレイヤは長周期で基地局毎に割り当てられる長周期拡散符号のレイヤを、下段のレイヤは全基地局に共通に用いられる短周期拡散符号のレイヤを示している。各基地局から送出される信号は、各基地局毎に割り当てられている長周期拡散符号を用いて識別される。
【０００８】
図３は、移動局で受信する各基地局からの信号における長周期拡散符号のタイミングの関係を示す模式図である。
【０００９】
図３は、基地局間の同期を必ずしも必要としない非同期の移動通信システムを対象としており、移動局において受信される長周期拡散符号のタイミングも各基地局毎に区々である。このような非同期のシステムでは、拡散符号および位相ともに未知のとまり木を高速にサーチする必要がある。任意の位相を高速にサーチする方法は文献（Ｈｉｇｕｃｈｉ，  Ｓａｗａｈａｓｈｉ，  Ａｄａｃｈｉ，  ”Ｆａｓｔ  Ｃｅｌｌ  Ｓｅａｒｃｈ  Ａｌｇｏｒｉｔｈｍ  ｉｎ  Ｉｎｔｅｒ−Ｃｅｌｌ  Ａｓｙｎｃｈｒｏｎｏｕｓ  ＤＳ−ＣＤＭＡ  Ｍｏｂｉｌｅ  Ｒａｄｉｏ，”  ＩＥＩＣＥ  Ｔｒａｎｓ．  Ｃｏｍｍｕｎ．，  Ｖｏｌ．  Ｅ８１−Ｂ，  Ｎｏ．  ７，  Ｊｕｌｙ  １９９８．）に示されている。この方法では、短周期拡散符号および長周期拡散符号で２重に拡散されるとまり木チャネルの一部に、図４に示すような、長周期拡散符号を用いずに短周期拡散符号のみで拡散される部分（マスクシンボル）を設けている。
【００１０】
図４は、とまり木チャネルの構造を説明するための概念図である。
【００１１】
まず、移動局は全基地局で共通に使用される短周期拡散符号を用いて受信信号を逆拡散すると、長周期拡散符号の種類に関わらず受信信号のマスクシンボルのタイミングでピークを検出できる（第１ステップ）。
【００１２】
第１ステップで抽出したタイミングに基づき、マスクシンボルと同一の位置に重畳されている長周期拡散符号グループコードを検出し、受信対象としている基地局が用いている長周期拡散符号がどのグループに属するかを同定する（第２ステップ）。
【００１３】
第２ステップで決定したグループに属する長周期拡散符号の各々を用いて対象とする基地局が用いている長周期拡散符号を特定する（第３ステップ）。
【００１４】
なお、この方法が適用されるシステムでは、多数存在する各々の長周期拡散符号は、予めグループ分けされている。
【００１５】
ところで、上述のように移動通信システムは多数の基地局により構成されており、更に指向性を有するアンテナを用いて扇形のエリアをカバーするセクタにより各セルは構成されているため、移動局は非常に多数のセクタからの信号を受信する必要がある。また、各セクタから送出された信号は周囲の建物などに反射して移動局に到達するため、各セクタからの信号にはそれぞれ遅延波が存在する。
【００１６】
【発明が解決しようとする課題】
このように、移動局は非常に多数の信号に対して、長周期拡散符号の同定やタイミング同期を、符号やタイミングについて未知の状態から行う必要があり、このことが周辺セルサーチや基地局選択のための移動局の負荷を増大させ、或いは、基地局の選択精度を低下させてしまうという重大な問題点があった。
【００１７】
本発明の目的は、上記問題点に鑑み、本発明は移動局における長周期拡散符号同定およびタイミング同期の負荷を低く抑え、かつ、基地局選択の精度を高く保つことができる技術を提供することにある。
【００１８】
【課題を解決するための手段】
請求項１に記載の発明は、少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記複数の基地局から前記短周期拡散符号のみで拡散した同期信号を断続的に送信するＣＤＭＡ移動通信システムにおける同期信号を送信する方法であって、前記複数の基地局から基地局毎に一定時間ずつずらした送信タイミングで前記同期信号を送信することを特徴とする。
【００１９】
請求項２に記載の発明は、少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記複数の基地局から前記短周期拡散符号のみで拡散した同期信号を断続的に送信するＣＤＭＡ移動通信システムにおける同期信号を送信する方法であって、前記複数の基地局から同一セル内の複数のセクタ毎に一定時間ずつずらした送信タイミングで前記同期信号を送信することを特徴とする。
【００２０】
請求項３に記載の発明は、少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる予め複数のグループに分類された長周期拡散符号とを用いて情報シンボルを２重に拡散し、前記複数の基地局から前記短周期拡散符号のみで拡散した同期信号を断続的に送信するＣＤＭＡ移動通信システムにおける同期信号を送信する方法であって、前記複数の基地局から同一のグループに属する前記長周期拡散符号を使用する基地局毎に一定時間ずつずらした送信タイミングで前記同期信号を送信することを特徴とする。
【００２１】
請求項４に記載の発明は、少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記複数の基地局から前記短周期拡散符号のみで拡散した同期信号を断続的に送信するＣＤＭＡ移動通信システムであって、前記複数の基地局から基地局毎に一定時間ずつずらした送信タイミングで前記同期信号を送信することを特徴とする。
【００２２】
請求項５に記載の発明は、少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記複数の基地局から前記短周期拡散符号のみで拡散した同期信号を断続的に送信するＣＤＭＡ移動通信システムであって、前記複数の基地局から同一セル内の複数のセクタ毎に一定時間ずつずらした送信タイミングで前記同期信号を送信することを特徴とする。
【００２３】
請求項６に記載の発明は、少なくとも複数の基地局と移動局とにより構成され、繰り返し周期が情報シンボル周期と等しく各基地局が共通に用いる短周期拡散符号と繰り返し周期が情報シンボルよりも長く基地局毎に異なる予め複数のグループに分類された長周期拡散符号とを用いて情報シンボルを２重に拡散し、前記複数の基地局から前記短周期拡散符号のみで拡散した同期信号を断続的に送信するＣＤＭＡ移動通信システムであって、前記複数の基地局から同一のグループに属する前記長周期拡散符号を使用する基地局毎に一定時間ずつずらした送信タイミングで前記同期信号を送信することを特徴とする。
【００２４】
請求項７に記載の発明は、繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記短周期拡散符号のみで拡散した同期信号を断続的に送信するＣＤＭＡ移動通信システムの基地局であって、基地局毎に一定時間ずつずらした送信タイミングで前記同期信号を送信することを特徴とする。
【００２５】
請求項８に記載の発明は、繰り返し周期が情報シンボル周期と等しく各基地局が共通に用いる短周期拡散符号と繰り返し周期が情報シンボルよりも長く基地局毎に異なる長周期拡散符号とを用いて情報シンボルを２重に拡散し、前記短周期拡散符号のみで拡散した同期信号を断続的に送信するＣＤＭＡ移動通信システムの基地局であって、同一セル内の複数のセクタ毎に一定時間ずつずらした送信タイミングで前記同期信号を送信することを特徴とする。
【００２６】
請求項９に記載の発明は、繰り返し周期が情報シンボル周期と等しく各基地局が共通に用いる短周期拡散符号と繰り返し周期が情報シンボルよりも長く基地局毎に異なる予め複数のグループに分類された長周期拡散符号とを用いて情報シンボルを２重に拡散し、前記複数の基地局から前記短周期拡散符号のみで拡散した同期信号を断続的に送信するＣＤＭＡ移動通信システムの基地局であって、同一のグループに属する前記長周期拡散符号を使用する基地局毎に一定時間ずつずらした送信タイミングで前記同期信号を送信することを特徴とする。
【００２７】
請求項１０に記載の発明は、基地局が送信した、繰り返し周期が情報シンボル周期と等しく各基地局が共通に用いる短周期拡散符号と、繰り返し周期が情報シンボルよりも長く基地局毎に異なる長周期拡散符号とを用いて２重に拡散された情報シンボル、および前記短周期拡散符号のみで拡散した同期信号を受信するＣＤＭＡ移動通信システムにおける移動局であって、既に同期状態にある同期信号の受信タイミングから一定時間ずらしたタイミングに的を絞って他の同期信号を探索する手段と、前記他の同期信号を捕捉する手段とを備えることを特徴とする。
【００２８】
複数の基地局からの同期信号の送信タイミングを予め決められた一定時間ずつずらすことは、移動局が受信すべき同期信号のタイミングを限定し、移動局における周辺セルサーチや基地局選択の負荷を低減させるように作用する。移動局において、予め決められた時間ずつずれたタイミングで異なる基地局から同期信号を受信できることは既知であるから、周辺セルサーチを、受信したい基地局からの同期信号のタイミングに絞って行うことができ、周辺セルサーチを効率化できるように作用する。また、本発明によると、長周期拡散符号群が予めグループ分けされている移動通信システムにおいて、同一グループの長周期拡散符号を用いている基地局から同期信号を一定時間ずつずらして送信する。移動局において、長周期拡散符号のグループと同期信号の受信タイミングが限定されるため、周辺セルサーチや基地局選択時の移動局の負荷が軽減される。
【００２９】
【発明の実施の形態】
以下、図面を参照しながら、本発明の実施形態について詳細に説明する。
【００３０】
図５は、本発明が適用される移動通信システムの構成の一例を示す図であり、移動通信システムの構成のうち本発明に関係する部分のみを概念的に示している。
【００３１】
移動通信システム５００は、少なくとも基地局１０、移動局２０、およびタイミング管理装置３０から構成される。
【００３２】
基地局１０はタイミング管理装置３０と接続され、タイミング管理装置３０よりタイミング情報を受信して移動局２０と無線通信を行う機能を有し、少なくとも長周期拡散符号生成部５０２、短周期拡散符号生成部５０４、長周期拡散符号グループコード生成部５０６、第１合成部５０８、第２合成部５１０、拡散部５１２、送信タイミング調整部５１４、およびアンテナ５１６から構成されている。長周期拡散符号生成部５０２は、第１合成部５０８に接続され、移動通信システムにおいて拡散に用いられる符号であって繰り返し周期が情報シンボル周期よりも長くかつ基地局毎に異なるものが使用される符号である長周期拡散符号を生成する機能を有する。短周期拡散符号生成部５０４は、第１合成部５０８および第２合成部５１０に接続され、移動通信システムにおいて拡散に用いられる符号であって繰り返し周期が情報シンボル周期と同一でかつ全基地局に共通な符号である短周期拡散符号を生成する機能を有する。長周期拡散符号グループコード生成部５０６は、第２合成部５１０に接続され、長周期拡散符号のグループコードを生成する機能を有する。第１合成部５０８は、長周期拡散符号生成部５０２、短周期拡散符号生成部５０４、および拡散部５１２に接続され、長周期拡散符号生成部５０２および短周期拡散符号生成部５０４により生成された拡散符号を合成して、拡散部５１２に送信する機能を有する。第２合成部５１０は、短周期拡散符号生成部５０４、長周期拡散符号グループコード生成部５０６およびスイッチＳＷに接続され、短周期拡散符号生成部５０４により生成された短周期拡散符号と長周期拡散符号グループコード生成部５０６により生成された長周期拡散符号グループコードとを合成し、ＳＷに送信する機能を有する。拡散部５１２は、第１合成部５０８およびＳＷに接続され、第１合成部５０８により合成された拡散符号でとまり木チャネル情報を拡散しＳＷに送信する機能を有する。ＳＷは、通常は拡散部５１２を送信タイミング調整部５１４に接続するが、定期的に送信される同期信号であるマスクシンボルのタイミングで第２合成部５１０を送信タイミング調整部５１４に接続する機能を有する。送信タイミング調整部５１４は、ＳＷ、アンテナ５１６および通信回線を介してタイミング管理装置３０に接続され、タイミング管理装置３０からのタイミング情報を受信して、拡散部５１２または第２合成部５１０からの信号をアンテナ５１６を介して移動局２０に送信するタイミングを調整する機能を有する。アンテナ５１６は、送信タイミング調整部５１４に接続され、移動局２０との無線通信を行う機能を有する。タイミング管理装置３０は、複数の基地局１０に接続され、各基地局に対してタイミング情報を通知する機能を有する。移動局２０は、基地局と無線通信を行う機能を有する。
【００３３】
次に、このように構成された本実施の形態における移動通信システム５００の動作の一例について、以下に図６乃至図８を参照して詳細に説明する。
【００３４】
図６は、本発明を適用した移動通信システムの動作の一例を示す模式図である。
【００３５】
図６において、ＢＳ１〜５と記された各基地局からは、長周期拡散符号により拡散されない同期信号（マスクシンボル）が定期的に送出されている。これらの同期信号は、図６の右下の帯に相互の時間関係を示した通り、各基地局から一定時間ずつずらしたタイミングで送出されている。オフセット量はシステムで予め決められており、移動局において既知である。従って、移動局では、周辺セルサーチや基地局選択を行う際に、既に同期状態にある基地局の同期信号受信タイミングから、一定時間ずらしたタイミングに的を絞って他の基地局の同期信号を探索することで、効率的に複数の同期信号を捕捉することができる。
【００３６】
図７は、本発明を適用した移動通信システムの他の動作の一例を示す模式図である。
【００３７】
ＢＳ１〜３と記された各基地局は、それぞれセクタ１〜３の３つのセクタに分割されており、各セクタから同期信号が送出されている。同期信号が送出されるタイミングは、図７の右下の帯に相互の時間関係を示した通り、同一基地局内のセクタでは一定時間ずつずらしてあり、システムで規定されたオフセット量ずつずらしたタイミングで同期信号が送出されている。
【００３８】
図８は、本発明を適用した移動通信システムの他の動作の一例を示す模式図である。
図８の各基地局で用いている長周期拡散符号は予めグループ分けされており、ＢＳ１〜３はグループ１、ＢＳ４および５はグループ２、ＢＳ６〜８はグループ３に属する長周期拡散符号を用いている。同一グループの基地局からの同期信号送出タイミングは、図８の右下の帯に相互の時間関係を示した通り、一定時間ずつずらしてある。
【００３９】
なお、立地場所が異なる複数の基地局にまたがって本発明を適用する場合、相互の時間軸を揃えるために、外部のタイミングソースが必要となるが、上述した実施の形態においては、タイミング管理装置３０を用いる場合を一例に説明している。しかし、本発明はかかる場合に限定されるものではなく、例えば、ＧＰＳや有線のネットワークなどを利用しても同様な効果を得ることができる。
【００４０】
【発明の効果】
以上、詳細に説明したように、本発明によれば、複数の基地局からの同期信号送出タイミングを予め決められた一定時間ずつずらすので、移動局が受信すべき同期信号のタイミングを限定し、移動局における周辺セルサーチや基地局選択の負荷を低減させることができる。移動局において予め決められた時間ずつずれたタイミングで異なる基地局から同期信号を受信できることは既知であるから、これにより、周辺セルサーチを受信したい基地局からの同期信号のタイミングに絞って行うことができ、周辺セルサーチを効率化できる。
【００４１】
また、本発明によれば、長周期拡散符号群が予めグループ分けされている移動通信システムにおいて同一グループの長周期拡散符号を用いている基地局から同期信号を一定時間ずつずらして送信するので、移動局において長周期拡散符号のグループと同期信号の受信タイミングが限定され、周辺セルサーチや基地局選択時の移動局の負荷が軽減される。
【図面の簡単な説明】
【図１】ＣＤＭＡ移動通信システムの構成の一例を示す図である。
【図２】ＤＳ−ＣＤＭＡ移動通信システムにおける拡散符号の使用方法を説明するための概念図である。
【図３】移動局で受信する各基地局からの信号における長周期拡散符号のタイミングの関係を示す模式図である。
【図４】とまり木チャネルの構造を説明するための概念図である。
【図５】本発明が適用される移動通信システムの構成の一例を示す図である。
【図６】本発明を適用した移動通信システムの動作の一例を示す模式図である。
【図７】本発明を適用した移動通信システムの他の動作の一例を示す模式図である。
【図８】本発明を適用した移動通信システムの他の動作の一例を示す模式図である。
【符号の説明】
１０    基地局
２０    移動局
３０    タイミング管理装置
５００  移動通信システム
５０２  長周期拡散符号生成部
５０４  短周期拡散符号生成部
５０６  長周期拡散符号グループコード生成部
５０８  第１合成部
５１０  第２合成部
５１２  拡散部
５１４  送信タイミング調整部
５１６  アンテナ
【図１】
0003581058.tif 000002
【図２】
0003581058.tif 000003
【図３】
0003581058.tif 000004
【図４】
0003581058.tif 000005
【図５】
0003581058.tif 000006
【図６】
0003581058.tif 000007
【図７】
0003581058.tif 000008
【図８】
0003581058.tif 000009